(57)【要約】【課題】鉛筆軸の削り角度を鉛筆の芯の硬度に応じた最適な角度に簡単かつ確実に指定して削ることができる鉛筆削り器を提供する。【解決手段】挿入軸に沿って鉛筆が挿入される保持部と、挿入軸に対して設定された傾斜角度を有して配置されるとともに、ハンドルの回転によって鉛筆の先端部に対して回転駆動される回転刃部と、を有し、先端部を設定された削り角度で削る鉛筆削り器において、回転刃部を保持部に設定された傾動軸を中心として傾動可能に所定の傾斜角度で保持部材に保持する刃保持部材と、回転刃部を傾斜角度が増大する方向への付勢力を付与する弾性部材と、回転刃部の傾斜角度を所定の角度に保持する刃部角度保持部材と、鉛筆の芯の硬度に適合した削り角度に基づき回転刃部の傾斜角度を決定することができる角度決定部材とを備える。【選択図】図３
2020183042.tif 000002
【特許請求の範囲】
【請求項１】
挿入軸に沿って鉛筆が挿入される保持部と、前記挿入軸に対して設定された傾斜角度を有して配置されるとともに、ハンドルの回転によって前記鉛筆の先端部に対して回転駆動される回転刃部と、を有し、前記先端部を設定された削り角度で削る鉛筆削り器において、
前記回転刃部を前記保持部に設定された傾動軸を中心として傾動可能に所定の傾斜角度で前記保持部に保持する刃保持部材と、
前記回転刃部を前記傾斜角度が増大する方向への付勢力を付与する弾性部材と、
前記回転刃部の前記傾斜角度を所定の角度に保持する刃部角度保持部材と、
前記鉛筆の芯の硬度に適合した削り角度に基づき前記回転刃部の傾斜角度を決定することができる角度決定部材と、
を備えることを特徴とする鉛筆削り器。
【請求項２】
前記刃部角度保持部材は、前記挿入軸に沿い、前記挿入軸を軸として異なる半径を備える回転面で形成された角度保持内面部を備え、
前記刃保持部材は、前記刃部角度保持部材の前記角度保持内面部に接触して転動する転動部材を備え、
前記角度決定部材は、前記挿入軸の周囲を回転動するように構成され、前記刃部角度保持部材を挿入軸の方向に沿って前後動させることを特徴とする請求項１に記載の鉛筆削り器。
【請求項３】
前記刃部角度保持部材は円筒状に形成され、前記角度保持内面部は、異なる半径の内周を備え、前記挿入軸方向に所定間隔を置いて配置された複数の短円筒内面部と、前記短円筒内面部の間に形成されて前記短円筒内面部に連設される半径が異なる円錐状内面部とから形成されることを特徴とする請求項２に記載の鉛筆削り器。
【請求項４】
前記刃部角度保持部材の前記角度保持内面部は、前記挿入軸に沿って、内面の半径が線形に変化する円錐状内面部を備えることを特徴とする請求項２に記載の鉛筆削り器。
【請求項５】
前記刃部角度保持部材は外周面部に突起部を備え、前記角度決定部材は、前記刃部角度保持部材よりも径大な円筒状に形成され、前記鉛筆削り器の外部から回転駆動可能に形成され、前記刃部角度保持部材の外側を覆うとともに、前記刃部角度保持部材の前記突起部が挿入され、前記角度決定部材を回転動させたとき、前記刃部角度保持部材を前後動させるように形成されたカム溝を備えることを特徴とする請求項２から請求項４までの何れか一項に記載の鉛筆削り器。
【請求項６】
前記角度決定部材は、鉛筆削り器の前記鉛筆を挿入する側に配置された回転ダイヤルを含み、
前記回転ダイヤルには、選択した鉛筆の削り角の形状を表す鉛筆画像がアイコンとして表示されることを特徴とする請求項１に記載の鉛筆削り器。
【請求項７】
前記鉛筆削り器の上面に突出し前記角度決定部材を回転駆動するつまみ部材を備えることを特徴とする請求項５に記載の鉛筆削り器。
【請求項８】
前記角度決定部材は、一端側に前記鉛筆削り器の本体に配置された支点を備え、他端を力点とし、力点と支点との間に前記刃部角度保持部材を前記挿入軸に沿って直線動作させるレバー部材を備えることを特徴とする請求項５に記載の鉛筆削り器。
【請求項９】
前記刃部角度保持部材は、前記刃保持部材の前記鉛筆の挿入側と反対の側に接触し、前記回転刃部の前記挿入軸との間の前記傾斜角度を変更するように形成された板カムを備え、
前記角度決定部材は、前記鉛筆削り器のハンドル軸部に配置され、前記板カムを回転駆動させる選択ダイヤルであることを特徴とする請求項１に記載の鉛筆削り器。
【請求項１０】
前記ハンドルの駆動によって前記鉛筆を回転駆動させ、かつ前記回転刃部を自転させて前記鉛筆を相対的に前記回転刃部と回転させて鉛筆を削るものであり、
前記刃部角度保持部材及び前記角度決定部材を前記刃部角度保持部材の位置を所望の位置で固定する位置変更機構として備えることを特徴とする請求項１に記載の鉛筆削り器。
【発明の詳細な説明】
【技術分野】
【０００１】
本発明は、鉛筆の削り角度を選択できる卓上で使用される鉛筆削り器に関する。
【背景技術】
【０００２】
一般に卓上で使用される鉛筆削り器として、鉛筆の芯の尖がり状態を選択できる機能を備えるものがある。このような鉛筆削り器では、鉛筆の芯の先端部に接触して、芯の位置を定める部材を鉛筆削り器の回転刃部の内側に位置変更可能に配置して、鉛筆の回転刃部に対する挿入位置を定め芯の尖がり状態を設定している。
【０００３】
しかし、鉛筆を削るにあたっては、芯の尖がり状態の他に、鉛筆軸の削り角度を選択できることが望まれる。
【０００４】
即ち、小学校低学年児童が使用する鉛筆の芯は軟らかく（例えば２Ｂ−４Ｂ）、また強い筆圧で使用される。このため、芯の折れ防止を図るため、一般に使用される鉛筆（例えば硬度がＨ、ＨＢ、Ｂ等）の削り角度（例えば２０度）より大きな削り角度（例えば２６度）とすることが望ましい。
【０００５】
また、色鉛筆は芯の強度が一般の鉛筆より弱いため、同様に大きな削り角度（例えば３５度）とすることが望ましい。
【０００６】
このため、従来より、卓上で使用する鉛筆削り器として用途や鉛筆の種類によって削り角度を最適とされる角度に設定できる鉛筆削り器が望まれている。
【０００７】
鉛筆の削り角度を変更できる鉛筆削り器として、特許文献１には、切削ロールの軸の一端を、出入自在の楔で支承することにより、切削ロールの傾斜を変化し得る鉛筆削り器が記載されている。
【先行技術文献】
【特許文献】
【０００８】
【特許文献１】実公昭３８−２３９５２号公報
【発明の概要】
【発明が解決しようとする課題】
【０００９】
しかし、特許文献１に記載の鉛筆削りは、鉛筆軸の削り角度を変更できるものではあるが、設定された削り角度が分かりにくく、鉛筆の種類や硬度に最適とされる削り角度の設定が困難である。
【００１０】
本発明は上述した課題に鑑みてなされたものであり、鉛筆軸の削り角度を鉛筆の芯の硬度に応じた最適な角度に簡単かつ確実に指定して削ることができる鉛筆削り器を提供することを目的とする。
【課題を解決するための手段】
【００１１】
前記課題を解決する請求項１に記載の発明は、挿入軸に沿って鉛筆が挿入される保持部と、前記挿入軸に対して設定された傾斜角度を有して配置されるとともに、ハンドルの回転によって前記鉛筆の先端部に対して回転駆動される回転刃部と、を有し、前記先端部を設定された削り角度で削る鉛筆削り器において、前記回転刃部を前記保持部に設定された傾動軸を中心として傾動可能に所定の傾斜角度で前記保持部に保持する刃保持部材と、前記回転刃部を前記傾斜角度が増大する方向への付勢力を付与する弾性部材と、前記回転刃部の前記傾斜角度を所定の角度に保持する刃部角度保持部材と、前記鉛筆の芯の硬度に適合した削り角度に基づき前記回転刃部の傾斜角度を決定することができる角度決定部材とを備えることを特徴とする。
【００１２】
ここで、鉛筆の「芯の硬度」は、ＪＩＳ規格で定められた硬度（Ｈ、ＨＢ、Ｂ等）、通常の鉛筆より軟らかい色鉛筆の芯の硬度を含むものとする。
【００１３】
本発明によれば、鉛筆を削るにあたり、回転刃部は傾動軸を中心にして傾動が可能に保持されており、回転刃部は弾性部材で傾斜角度が増大する方向への付勢力が付与されている。また、刃保持部材は、刃部角度保持部材に接触して回転刃部の傾斜角度が所定の角度に保持される。そして、角度決定部材は鉛筆の芯の硬度に適合した削り角度に基づき前記回転刃部の傾斜角度を決定する。
【００１４】
よって、刃部角度保持部材を操作するだけで、回転刃部の挿入軸に対する角度を選択、設定することができ、鉛筆の種類や用途に応じた最適な角度に簡単かつ確実に指定して鉛筆を削ることができる。
【００１５】
同じく、請求項２に記載の発明は、請求項１に記載の鉛筆削り器において、前記刃部角度保持部材は、前記挿入軸に沿い、前記挿入軸を軸として異なる半径を備える回転面で形成された角度保持内面部を備え、前記刃保持部材は、前記刃部角度保持部材の前記角度保持内面部に接触して転動する転動部材を備え、前記角度決定部材は、前記挿入軸の周囲を回転動するように構成され、前記刃部角度保持部材を挿入軸の方向に沿って前後動させることを特徴とする。
【００１６】
本発明によれば、刃保持部材は、刃部角度保持部材の転動部材が転動する角度保持内面部の半径により角度が定まる。この角度保持内面部は、挿入軸を軸として異なる半径の回転面を備えるから、刃部角度保持部材を角度決定部材で挿入軸に沿って前後動させ、配置位置を設定することにより、刃保持部材の転動部材の公転半径、即ち刃保持部材の傾斜角度を設定できる。よって、角度決定部材を回転操作することにより、鉛筆の種類や用途に応じた最適な角度に簡単かつ確実に指定して鉛筆を削ることができる。
【００１７】
同じく、請求項３に記載の発明は、請求項２に記載の鉛筆削り器において、前記刃部角度保持部材は円筒状に形成され、前記角度保持内面部は、異なる半径の内周を備え、前記挿入軸方向に所定間隔を置いて配置された複数の短円筒内面部と、前記短円筒内面部の間に形成されて前記短円筒内面部に連設される半径が異なる円錐状内面部とから形成されることを特徴とする。
【００１８】
本発明によれば、角度保持内面部は、複数の短円筒内面部とこれらに連接される円錐状内面部とを備えるから、刃部角度保持部材を角度決定部材で挿入軸に沿って前後動させ、転動部材が転動する短円筒内面部を選択することにより、刃保持部材の転動部材の公転半径、即ち刃保持部材の傾斜角度を設定できる。また、転動部材は、一つの短円筒内面部から他の短円筒内面部に前後移動するときこれらを連接する円錐状内面部を転動しつつ移動する。このため、傾斜角度の変更に際しての前後方向の移動が円滑になる。
【００１９】
よって、角度決定部材を回転操作することにより、鉛筆の硬度に適した傾斜角度の指定を段階的に容易に行うことができ、更に段階の選択時における角度決定部材の操作による転動部材の移動動作を円滑に行うことができる。
【００２０】
同じく、請求項４に記載の発明は、請求項２に記載の鉛筆削り器において、前記刃部角度保持部材の前記角度保持内面部は、前記挿入軸に沿って内面の半径が線形に変化する円錐状内面部を備えることを特徴とする。
【００２１】
本発明によれば、角度保持内面部は、挿入軸に沿って内面の半径が線形に変化する円錐状内面部を備えるから、刃部角度保持部材を角度決定部材で挿入軸に沿って直線運動させ、転動部材が転動する円錐状内面部の位置、即ち半径を選択することにより、刃保持部材の転動部材の公転半径、即ち刃保持部材の傾斜角度を設定できる。
【００２２】
よって、角度決定部材を回転操作することにより、鉛筆の硬度に適した傾斜角度の指定を連続的に容易に行うことができる。
【００２３】
同じく、請求項５に記載の発明は、請求項２から請求項４までの何れか一項に記載の鉛筆削り器において、前記刃部角度保持部材は外周面部に突起部を備え、前記角度決定部材は、前記刃部角度保持部材よりも径大な円筒状に形成され、前記鉛筆削り器の外部から回転駆動可能に形成され、前記刃部角度保持部材の外側を覆うとともに、前記刃部角度保持部材の前記突起部が挿入され、前記角度決定部材を回転動させたとき、前記刃部角度保持部材を前後動させるように形成されたカム溝を備えることを特徴とする。
【００２４】
本発明によれば、角度決定部材は、刃部角度保持部材よりも径大な円筒状で鉛筆削り器の外部から回転駆動可能に形成され、刃部角度保持部材の外側を覆うとともに、刃部角度保持部材の突起部が挿入され、角度決定部材を回転動させたとき、刃部角度保持部材を前後動させるように形成されたカム溝を備える。このため、角度決定部材を回転させることで、カム溝に挿入された突起部が前後方向に移動し、これに伴い刃部角度保持部材が前後方向に移動する。
【００２５】
そして、この刃部角度保持部材の移動に伴い、刃保持部材の角度が変化する。よって、角度決定部材を回転させるという簡単でわかり易い操作で、鉛筆の削り角度を変更することができる。
【００２６】
同じく、請求項６に記載の発明は、請求項１に記載の鉛筆削り器において、前記角度決定部材は、鉛筆削り器の前記鉛筆を挿入する側に配置された回転ダイヤルを含み、前記回転ダイヤルには、選択した鉛筆の削り角の形状を表す鉛筆画像がアイコンとして表示されることを特徴とする。
【００２７】
本発明によれば、鉛筆の削り角度を決定する角度決定部材は、鉛筆削り器の鉛筆を挿入する側に配置された回転ダイヤルを含んでいる。そして、この回転ダイヤルには、選択した鉛筆の削り角の形状を表すアイコンが表示される。このため、表示されたアイコンを確認して回転ダイヤルを操作することにより角度決定部材を回転させて刃部角度保持部材が動作する。これにより、刃保持部材の角度が決定される。
【００２８】
よって、削り角を表示するアイコンを確認しつつ回転ダイヤルを回転させるという簡単でわかり易い操作で、鉛筆の削り角度を変更して設定することができる。
【００２９】
同じく、請求項７に記載の発明は、請求項５に記載の鉛筆削り器において、前記鉛筆削り器の上面に突出し前記角度決定部材を回転駆動するつまみ部材を備えることを特徴とする。
【００３０】
本発明によれば、角度決定部材は、角度決定部材を回転駆動するつまみ部材を備える。このため、つまみにより角度決定部材を回転させることで、カム溝に挿入された突起部が前後方向に移動し、これに伴い刃部角度保持部材が前後方向に移動する。そして、刃部角度保持部材の移動に伴い、刃保持部材の角度が変化する。よって、つまみを回転させるという簡単でわかり易い操作で、鉛筆の削り角度を変更することができる。
【００３１】
同じく、請求項８に記載の発明は、請求項５に記載の鉛筆削り器において、前記角度決定部材は、一端側に前記鉛筆削り器の本体に配置された支点を備え、他端を力点とし、力点と支点との間に前記刃部角度保持部材を前記挿入軸に沿って直線動作させるレバー部材を備えることを特徴とする。
【００３２】
本発明によれば、角度決定部材は、レバー部材を備え、このレバー部材は、一端側に鉛筆削り器の本体に配置された支点、他端を力点とし、力点と支点との間に刃部角度保持部材を挿入軸に沿って直線動作させる。このため、レバー部材の操作により、カム溝に挿入された突起部が前後方向に移動し、これに伴い刃部角度保持部材が前後方向に移動する。そして、この刃部角度保持部材の移動に伴い、刃部角度保持部材により決定される刃保持部材の角度が変化する。よって、レバー部材を回動させるという簡単でわかり易い操作で、鉛筆の削り角度を変更することができる。
【００３３】
同じく、請求項９に記載の発明は、請求項１に記載の鉛筆削り器において、前記刃部角度保持部材は、前記刃保持部材の前記鉛筆の挿入側と反対の側に接触し、前記回転刃部の前記挿入軸との間の前記傾斜角度を変更するように形成された板カムを備え、前記角度決定部材は、前記鉛筆削り器のハンドル軸部に配置され、前記板カムを回転駆動させる選択ダイヤルであることを特徴とする。
【００３４】
本発明によれば、刃部角度保持部材は刃保持部材の前記鉛筆の挿入側と反対の側に接触して傾斜角度を変更するように形成された板カムを備え、この板カムは鉛筆削り器のハンドル軸部に配置された選択ダイヤルで回転駆動される。
【００３５】
そして、この選択ダイヤルの操作により板カムが回転させると、板カムと刃保持部材との接触位置が変化して刃保持部材の角度が設定される。よって、選択ダイヤルを回動させるという簡単でわかり易い操作で、鉛筆の削り角度を変更することができる。
【００３６】
同じく、請求項１０に記載の発明は、請求項１に記載の鉛筆削り器において、前記ハンドルの駆動によって前記鉛筆を回転駆動させ、かつ前記回転刃部を自転させて前記鉛筆を相対的に前記回転刃部と回転させて鉛筆を削るものであり、前記刃部角度保持部材及び前記角度決定部材を前記刃部角度保持部材の位置を所望の位置で固定する位置変更機構として備えることを特徴とする。
【００３７】
本発明によれば、回転刃部は、回転駆動されて自転するだけで、鉛筆がハンドルの駆動により回転駆動される。また、刃部角度保持部材及び角度決定部材は刃部角度保持部材の位置を所望の位置で固定する位置変更機構として構成される。
【００３８】
本発明によれば、回転刃部は公転しないため、公転する回転刃部の角度を全周で保持して決定する必要がなくなり、刃部角度保持部材と角度決定部材の構成を位置変更機構として簡単なものとできる。
【発明の効果】
【００３９】
本発明に係る鉛筆削り器によれば、削り部の削り角度を鉛筆の種類や芯の硬度に応じた最適な角度に簡単かつ確実に指定して削ることができる。
【００４０】
請求項１に記載の鉛筆削り器によれば、鉛筆を削るにあたり、回転刃部は傾動軸を中心にして傾動が可能に保持されており、回転刃部は弾性部材で傾斜角度が増大する方向への付勢力が付与されている。また、刃保持部材は、刃部角度保持部材に接触して回転刃部の傾斜角度が所定の角度に保持される。そして、角度決定部材は鉛筆の芯の硬度に適合した削り角度に基づき前記回転刃部の傾斜角度を決定する。
【００４１】
よって、刃部角度保持部材を操作するだけで、回転刃部の挿入軸に対する角度を選択、設定することができ、鉛筆の種類や用途、芯の硬度に応じた最適な角度に簡単かつ確実に指定して鉛筆を削ることができる。
【００４２】
また、請求項２に記載の鉛筆削り器によれば、刃保持部材は、刃部角度保持部材の転動部材が転動する角度保持内面部の半径により角度が定まる。この角度保持内面部は、挿入軸を軸として異なる半径の回転面を備えるから、刃部角度保持部材を角度決定部材で挿入軸に沿って直線運動させ、配置位置を設定することにより、刃保持部材の転動部材の公転半径、即ち刃保持部材の傾斜角度を設定できる。
【００４３】
よって、角度決定部材を回転操作することにより、鉛筆の種類や用途、芯の硬度に応じた最適な角度に簡単かつ確実に指定して鉛筆を削ることができる。
【００４４】
また、請求項３に記載の鉛筆削り器によれば、角度保持内面部は、複数の短円筒内面部とこれらに連接される円錐状内面部とを備えるから、刃部角度保持部材を角度決定部材で挿入軸に沿って直線運動による前後動をさせ、転動部材が転動する短円筒内面部を選択することにより、刃保持部材の転動部材の公転半径、即ち刃保持部材の傾斜角度を設定できる。また、転動部材は、一つの短円筒内面部から他の短円筒内面部に前後移動するときこれらを連接する円錐状内面部を転動しつつ移動する。
【００４５】
このため、傾斜角度の変更に際しての前後方向の移動が円滑になる。よって、角度決定部材を回転操作することにより、鉛筆の硬度に適した傾斜角度の指定を段階的に容易に行うことができ、更に段階の選択時における角度決定部材の操作による転動部材の移動動作を円滑に行うことができる。
【００４６】
また、請求項４に記載の鉛筆削り器によれば、角度保持内面部は、挿入軸に沿って内面の半径が線形に変化する円錐状内面部を備えるから、刃部角度保持部材を角度決定部材で挿入軸に沿って直線運動させ、転動部材が転動する円錐状内面部の位置、即ち半径を選択することにより、刃保持部材の転動部材の公転半径、即ち刃保持部材の傾斜角度を設定できる。
【００４７】
よって、角度決定部材を回転操作することにより、鉛筆の芯の硬度に適した傾斜角度の指定を連続的に容易に行うことができる。
【００４８】
また、請求項５に記載の鉛筆削り器によれば、角度決定部材は、刃部角度保持部材よりも径大な円筒状で鉛筆削り器の外部から回転駆動可能に形成され、刃部角度保持部材の外側を覆うとともに、刃部角度保持部材の突起部が挿入され、角度決定部材を回転動させたとき、刃部角度保持部材を前後動させるように形成されたカム溝を備える。このため、角度決定部材を回転させることで、カム溝に挿入された突起部が前後方向に移動し、これに伴い刃部角度保持部材が前後方向に移動する。
【００４９】
そして、この刃部角度保持部材の移動に伴い、刃部角度保持部材により決定される刃保持部材の角度が変化する。よって、角度決定部材を回転させるという簡単でわかり易い操作で、鉛筆の削り角度を変更することができる。
【００５０】
また、請求項６に記載の鉛筆削り器によれば、鉛筆の削り角度を決定する角度決定部材は、鉛筆削り器の鉛筆を挿入する側に配置された回転ダイヤルを含んでいる。そして、この回転ダイヤルには、選択した鉛筆の削り角の形状を表すアイコンが表示される。このため、表示されたアイコンを確認して回転ダイヤルを操作することにより角度決定部材を回転させて刃部角度保持部材が動作する。これにより、刃保持部材の角度が決定される。
【００５１】
よって、削り角を表示するアイコンを確認しつつ回転ダイヤルを回転させるという簡単でわかり易い操作で、鉛筆の削り角度を変更して設定することができる。
【００５２】
また、請求項７に記載の鉛筆削り器によれば、角度決定部材は、角度決定部材を回転駆動するつまみ部材を備える。このため、つまみにより角度決定部材を回転させることで、カム溝に挿入された突起部が前後方向に移動し、これに伴い刃部角度保持部材が前後方向に移動する。そして、刃部角度保持部材の移動に伴い、刃保持部材の角度が変化する。よって、つまみを回転させるという簡単でわかり易い操作で、鉛筆の削り角度を変更することができる。
【００５３】
また、請求項８に記載の鉛筆削り器によれば、角度決定部材は、レバー部材を備え、このレバー部材は、一端側に鉛筆削り器の本体に配置された支点、他端を力点とし、力点と支点との間に刃部角度保持部材を挿入軸に沿って直線動作させる。このため、レバー部材の操作により、カム溝に挿入された突起部が前後方向に移動し、これに伴い刃部角度保持部材が前後方向に移動する。そして、この刃部角度保持部材の移動に伴い、刃保持部材の角度が変化する。よって、レバー部材を回動させるという簡単でわかり易い操作で、鉛筆の削り角度を変更することができる。
【００５４】
また、請求項９に記載の鉛筆削り器によれば、刃部角度保持部材は刃保持部材の前記鉛筆の挿入側と反対の側に接触して傾斜角度を変更するように形成された板カムを備え、この板カムは鉛筆削り器のハンドル軸部に配置された選択ダイヤルで回転駆動される。
【００５５】
そして、この選択ダイヤルの操作により板カムが回転させると、板カムと刃保持部材との接触位置が変化して刃保持部材の角度が設定される。よって、選択ダイヤルを回動させるという簡単でわかり易い操作で、鉛筆の削り角度を変更することができる。
【００５６】
そして、請求項１０に記載の鉛筆削り器によれば、回転刃部は公転しないため、公転する回転刃部の角度を全周で保持して決定する必要がなくなり、刃部角度保持部材と角度決定部材の構成を位置変更機構として簡単なものにできる。
【図面の簡単な説明】
【００５７】
【図１】本発明の第１実施形態に係る鉛筆削り器の外観を示すものであり、（ａ）は正面図、（ｂ）は側面図、（ｃ）は背面図、（ｄ）は平面図である。
【図２】同鉛筆削り器の削り内部構造を示すものであり、（ａ）は削り角度２０度、（ｂ）は削り角度２６度、（ｃ）は削り角度３５度の場合について示し、それぞれ（i）はダイヤルを示す正面図、（ii）は内部の状態を示す図１（ａ）の従断面である
【図３】同鉛筆削り器の内部構造を示す断面図である。
【図４】同鉛筆削り器における削り角度の設定状態示すものであり、（ａ）は削り角度２０度、（ｂ）は削り角度２６度、（ｃ）は削り角度３５度における鉛筆削り器の内部を示す斜視図である。
【図５】同鉛筆削り器の削り角度の設定状態を示すものであり、（ａ）は削り角度３５度、（ｂ）は削り角度２６度、（ｃ）は削り角度２０度の内部状態を示す断面図である。
【図６】本発明の他の実施形態に係る鉛筆削り器を示すものであり、（ａ）は第２実施形態に係る鉛筆削り器の一部正面図、（ｂ）は第２実施形態に係る鉛筆削り器の従断面図、（ｃ）は第３実施形態に係る鉛筆削り器の従断面図である。
【図７】本発明の他の実施形態に係る鉛筆削り器の外観を示すものであり、（ａ）は第４実施形態に係る鉛筆削り器の従断面図、（ｂ）は第５実施形態に係る鉛筆削り器の従断面図である。
【図８】本発明の他の実施形態に係る鉛筆削り器の外観を示すものであり、（ａ）は第６実施形態に係る鉛筆削り器の従断面図、（ｂ）は第７実施形態に係る鉛筆削り器の従断面図、（ｃ）はカムの一例を示す正面図、（ｄ）はカムの他の例を示す正面図である。
【図９】本発明の第８実施形態に係る鉛筆削り器を示すものであり、（ａ）は鉛筆削り器の従断面図、（ｂ）同鉛筆削り器の機構部の斜視図である。
【図１０】鉛筆の削り状態を示す模式図である。
【発明を実施するための形態】
【００５８】
本発明を実施するための形態に係る鉛筆削り器について説明する。
【００５９】
＜第１実施形態＞
以下本発明の第１実施形形態に係る鉛筆削り器について説明する。図１は本発明の第１実施形態に係る鉛筆削り器の外観を示すものであり、（ａ）は正面図、（ｂ）は側面図、（ｃ）は背面図、（ｄ）は平面図である。
【００６０】
まず鉛筆削り器１０の外観について説明する。図１に示すように、鉛筆削り器１０は、前部材１１Ａと後部材１１Ｂとから形成された本体１１に、削り角度設定用の回転ダイヤル１２、鉛筆の挿入孔１３、ハンドル１４、削りかすケース１５を備えて構成されている。
【００６１】
回転ダイヤル１２には、裏面に位置する本体１１に表示された削り程度を示す鉛筆のアイコン及び硬度（ＨＢ、Ｂ等の文字）を視認するための一対の表示窓１６、１７が開設され、更に回転ダイヤル１２には回転ダイヤル１２の回転位置を示す方向表示部１８が配置されている。なお、回転ダイヤル１２、表示窓１６、１７、方向表示部１８の形状等はこの例に限らず、他の形状、デザインでも差し支えない。
【００６２】
本実施形態に係る鉛筆削り器１０では、図１０に示すように、鉛筆を３段階、硬度ＨＢ−２Ｂに適した削り角度２０度、硬度２Ｂ−４Ｂに適した削り角度２６度、硬度６Ｂや色鉛筆に適した削り角度３５度で削ることができる。
【００６３】
このように、鉛筆の削り角度を選択できるようにするため、本実施形態に係る鉛筆削り器１０は、図２及び図３に示すように、鉛筆Ｐの削り機構２０と、挿入孔１３に挿入された鉛筆Ｐを回転方向に保持するとともに削り方向に送る送り機構７０と、を備える。本実施形態に係る鉛筆削り器１０において、送り機構７０の構成は公知であり、一般の鉛筆削り器と同様の構成を備える。
【００６４】
図２は同鉛筆削り器の削り内部構造を示すものであり、（ａ）は削り角度２０度、（ｂ）は削り角度２６度、（ｃ）は削り角度３５度の場合について示し、それぞれ（i）はダイヤルを示す正面図、（ii）は内部の状態を示す図１（ａ）の従断面図、図３は同鉛筆削り器の内部構造を示す断面図である。また、図４は同鉛筆削り器における削り角度の設定状態示すものであり、（ａ）は削り角度２０度、（ｂ）は削り角度２６度、（ｃ）は削り角度３５度における鉛筆削り器の内部を示す斜視図、図５は同鉛筆削り器の削り角度の設定状態を示すものであり、（ａ）は削り角度３５度、（ｂ）は削り角度２６度、（ｃ）は削り角度２０度の内部状態を示す断面図である。
【００６５】
図３及び図５に示すように、削り機構２０は、回転刃部２１と、刃保持部材２２と、保持部２３と、弾性部材２４と、角度決定部材として機能する第１円筒部材４０と、刃部角度保持部材として機能する第２円筒部材５０とを備える。
【００６６】
本実施形態では、第１円筒部材４０は外部の回転ダイヤル１２により回転駆動可能であり、側壁部４２にカム溝４３を備えている。同じく第２円筒部材５０は第１円筒部材４０内に配置され、カム溝４３に嵌まり込む突起部５８を備えている。第１円筒部材４０を回転駆動すると第２円筒部材５０が挿入軸ＯＰに沿って前後動して角度保持内面部５０Ａに接触する刃保持部材２２の挿入軸ＯＰに対する角度を変更する。
【００６７】
回転刃部２１は、ハンドル１４の回転によって駆動されるハンドルギア６０により、鉛筆Ｐの先端部に対して回転駆動される。回転刃部２１は公知のスパイラル歯を備える。回転刃部２１は、鉛筆Ｐの回りを公転しつつ自転して鉛筆Ｐを削る。
【００６８】
刃保持部材２２は、回転刃部２１を回転可能に保持する。また、刃保持部材２２は、刃保持部材２２に設定された傾動軸Ｏを中心として揺動可能であり、刃保持部材２２、即ち回転刃部２１が挿入軸ＯＰとなす角度を可変としている。
【００６９】
また、刃保持部材２２は、ハンドル１４の回転操作により、保持部２３に保持された鉛筆Ｐの周囲を公転する。この機構は公知である、また、刃保持部材２２は、ローラ部材として構成された転動部材２５の軸２６を保持する転動軸保持部２２Ａを備えている。本実施形態において、転動部材２５の公転半径が後述する第２円筒部材５０の角度保持内面部５０Ａのへの接触位置で決定され、これにより回転刃部２１の挿入軸ＯＰに対する傾斜角度が設定される。
【００７０】
弾性部材２４は、回転刃部２１を保持した刃保持部材２２を挿入軸ＯＰとの傾斜角度が増す方向への付勢力としての回転力（図中時計回りの力）を付与する。本実施形態では、弾性部材２４としてねじりスプリングを使用している。
【００７１】
次に第１円筒部材４０について説明する。図２及び図３に示すように、第１円筒部材４０は、第２円筒部材５０より大径に形成されている。第１円筒部材４０は、底部４１と側壁部４２とを備える。第１円筒部材４０は、底部４１において回転ダイヤル１２に連結部材３１により接続されており、回転ダイヤル１２を回転操作すると回転駆動されて回転する。回転ダイヤル１２は角度決定部材を構成する。
【００７２】
第１円筒部材４０の側壁部４２には、２本のカム溝４３、４３が形成されている。このカム溝４３、４３には、後述する第２円筒部材５０の外周面に形成された突起部５８が係合し、第２円筒部材５０を挿入軸ＯＰに沿って直線運動（前後動）させる。カム溝４３、４３は、第１円筒部材４０の母線に対して傾斜して、挿入軸ＯＰを軸とした対称位置に形成されている。第１円筒部材４０を回転させることにより、係合した第２円筒部材５０の突起部５８、５８を前後方向に駆動して、第２円筒部材５０を前後に移動させる。
【００７３】
次に第２円筒部材５０について説明する。図２及び図４に示すように、第２円筒部材５０は、角度保持内面部５０Ａが上述した刃保持部材２２の転動部材２５に接触して、回転刃部２１の傾斜角度を指定された角度に保持する。
【００７４】
第２円筒部材５０は、前後動だけが可能に配置され、外周面に第１円筒部材４０のカム溝４３、４３に嵌まる突起部５８、５８が形成されている。第１円筒部材４０を回転駆動することにより、第２円筒部材５０は挿入軸ＯＰに沿って前後方向に移動する。
【００７５】
第２円筒部材５０は、挿入軸ＯＰに沿って配置される。第２円筒部材５０は、挿入軸ＯＰを軸とし挿入軸ＯＰに沿って異なる半径を備える回転面で形成された角度保持内面部５０Ａを備える。また、第２円筒部材５０の外側面には、上述した２本の突起部５８、５８が突出形成されている。
【００７６】
また、第２円筒部材５０には、本体１１の内部に対向して形成された２組のガイドレール１９、１９に嵌めこまれ、第２円筒部材５０の回転を禁止し、第２円筒部材５０を挿入軸ＯＰに沿って直線運動だけを許容する２つの案内突起５６、５６を備える。
【００７７】
本実施形態では、角度保持内面部５０Ａは、図３に示すように、異なる半径の内周を備えた複数、本例では３つの短円筒内面部５１、５２、５３と、この短円筒内面部５１、５２、５３を接続する２つ円錐状内面部５４、５５を備えている。転動部材２５は、角度保持内面部５０Ａの短円筒内面部５１、５２、５３のうち、回転ダイヤル１２及び第１円筒部材４０の操作で設定された面に沿って転動する。
【００７８】
本例では、短円筒内面部５１に転動部材２５が接触することにより削り角度２０度、同じく短円筒内面部５２により削り角度２６度、同じく短円筒内面部５３により削り角度３５度を設定する。なお、転動部材としてはローラ部材の他の構成を備える部材、例えば転動可能な球形部材等を使用することができる。
【００７９】
次に回転ダイヤル１２について説明する。図１及び図２に示すように、回転ダイヤル１２には、２つの表示窓１６、１７と、方向表示部１８とを備える。本実施形態では、表示窓１６、１７は開口しており、回転ダイヤル１２の裏面に形成されたダイヤル基板３０に記載されたアイコン、文字等を視認できる。
【００８０】
ダイヤル基板３０には、図１０に示した、鉛筆の削り状態を示す３種類のアイコン（鉛筆画像）が表示され、表示窓１６を通して観察できる。またダイヤル基板３０には、図１０に示した、芯の硬度を示す種類の文字（「ＨＢ−２Ｂ」、「２Ｂ−４Ｂ」、「６Ｂ−色鉛筆」）が表示され、表示窓１７を通して観察できる。また、本体１１の上面には、方向表示部１８の指示する個所に削った鉛筆のアイコンが表示されている。なお、回転ダイヤル１２、表示窓１６、１７、方向表示部１８の形状は、必要に応じてその形状を適宜変更することができる。
【００８１】
図２（ａ）に示すように、回転ダイヤル１２の方向表示部１８が上を向き、２０度に設定されている状態では、鉛筆削り器１０は鉛筆を２０度の削り角で削る設定となっている。このとき、表示窓１６には図１０（ａ）に示す鉛筆のアイコン、表示窓１７には適合する鉛筆の硬度（ＨＢ−２Ｂ）が表示されている。同様に、回転ダイヤル１２を回転させて、図２（ｂ）の状態では２６度のアイコン及び適合する鉛筆のアイコン及び硬度（２Ｂ−４Ｂ）、図２（ｃ）の状態では３５度のアイコン及び硬度（６Ｂ−色鉛筆）が表示される。なお、これらのアイコンや文字はその形状や内容を必要に応じて変更することができる。
【００８２】
よって、使用者は、方向表示部１８の位置、方向表示部１８が示す本体１１上面のアイコンに加えて、表示窓１６から観察できるアイコン、表示窓１７から観察できる芯の硬度で、現在の鉛筆削り器１０の削り状態を把握できる。
【００８３】
次に第１実施形態に係る鉛筆削り器１０の作用について説明する。まず、使用者は、鉛筆の削り状態を選択する。この選択は鉛筆の種類、鉛筆の硬度や使用状態により行う。硬度がＨＢ−２Ｂのとき削り角度２０度、硬度が２Ｂ−４Ｂのとき、削り角度２６度、硬度６Ｂ以上や色鉛筆のとき削り角度３５度が好適である。なお、使用者が小学校低学年児童であるときは、削り角度を大きくすることが望ましい。
【００８４】
削り角度は、図２、図４及び図５に示すように、回転ダイヤル１２を回転して、所望の角度を設定する位置に配置する。使用者は、回転ダイヤル１２の方向表示部１８の位置、方向表示部１８が指示する本体１１の上面のアイコン、表示窓１６に表示されるアイコン、表示窓１７に表示される鉛筆の硬度を視認して鉛筆の削り角度を選択する。
【００８５】
回転ダイヤル１２を回転すると、図２、図４及び図５に示すように、回転ダイヤル１２の回転に伴い第１円筒部材４０が回転する。これにより、第１円筒部材４０のカム溝４３が回転して第２円筒部材５０の突起部５８を案内する。このとき、第２円筒部材５０は、挿入軸ＯＰに沿った移動しかできないため、挿入軸ＯＰに沿って前後方向に移動して、指定の位置に配置される。
【００８６】
すると、刃保持部材２２の転動部材２５は、任意の位置から角度保持内面部５０Ａ内面を転動して回転ダイヤル１２で指定された位置、例えば短円筒内面部５１に接触する。なお、回転ダイヤル１２の回転時にはハンドル１４を回転させると、角度保持内面部５０Ａにおける転動部材２５の移動が円滑になる。
【００８７】
この状態で、刃保持部材２２は挿入軸ＯＰに対して指定された角度となり、鉛筆を挿入孔１３に挿入して保持部２３で保持しつつ、ハンドル１４を回転させると、鉛筆Ｐは、送り機構７０で送られつつ回転刃部２１により指定した削り角度で削ることができる。
【００８８】
次に鉛筆削り器１０の効果について説明する。本実施形態に係る鉛筆削り器１０によれば、芯の硬度に適合する削り角度を回転ダイヤル１２で簡単に指定することができる。
【００８９】
また、削り機構２０において、回転刃部２１は、刃保持部材２２の転動部材２５と第２円筒部材５０の角度保持内面部５０Ａとで確実に保持されているので、回転刃部２１がぶれることなく、安定して鉛筆を削ることができる。
【００９０】
なお、上記実施形態では、角度保持内面部５０Ａの短円筒内面部の数を３としたが、この数は、２、又は４以上とすることができる。
【００９１】
＜第２実施形態＞
図６（ａ）は第２実施形態に係る鉛筆削り器の一部正面図、（ｂ）は第２実施形態に係る鉛筆削り器の断面図である。本発明の第２実勢形態である鉛筆削り器１１０について説明する。本実施形態に係る鉛筆削り器１１０には、鉛筆削り器１１０の本体１１の上面に突出して第１円筒部材４０を回転駆動するつまみ部材１１１を角度決定部材として備えるものである。
【００９２】
その他の構成は第１実施形態に係る鉛筆削り器と同じであるので、同一の部材には同一の符号を付して省略する。
【００９３】
本実施形態に係る鉛筆削り器１１０によれば、構成部材の点数を削減して簡単な構成とできるので、簡単に削り角度を安定して設定できる鉛筆削り器を安価に提供できる。
【００９４】
＜第３実施形態＞
図６（ｃ）は第３実施形態に係る鉛筆削り器の断面図である。本実施形態に係る鉛筆削り器１２０において、刃部角度保持部材である第２円筒部材５０の角度保持内面部５０Ａを、挿入軸ＯＰに沿って、内面の半径が線形に変化する円錐状内面部１２１としている。その他の構成は第１実施形態に係る鉛筆削り器と同じであるので、同一の部材には同一の符号を付して省略する。
【００９５】
本実施形態に係る鉛筆削り器１２０によれば、回転刃部２１の挿入軸ＯＰに対する削り角度を芯の硬度に適合する所望の角度に連続的に設定でき、鉛筆の削り角度を連続的に変更できる。
【００９６】
＜第４実施形態＞
図７（ａ）は第４実施形態に係る鉛筆削り器の断面図である。本実施形態に係る鉛筆削り器１３０は、鉛筆削り器１３０の本体１１の上面に突出して、連結部材１３２で第２円筒部材５０に連結され、第２円筒部材５０を挿入軸ＯＰに沿って移動するスライド部材１３１を角度決定部材として備えるものである。本鉛筆削り器１３０には、第１実施形態の鉛筆削り器１０の回転ダイヤル１２や第１円筒部材４０は具備していない。その他の構成は第１実施形態に係る鉛筆削り器１０と同じであるので、同一の部材には同一の符号を付して省略する。
【００９７】
本実施形態に係る鉛筆削り器１３０によれば、簡単に削り角度を安定して設定できる鉛筆削り器を安価に提供できる。
【００９８】
＜第５実施形態＞
図７（ｂ）は第５実施形態に係る鉛筆削り器の断面図である。本実施形態に係る鉛筆削り器１４０は、角度決定部材としてレバー部材１４１を備えている。レバー部材１４１は、一端側に鉛筆削り器の本体１１に配置された支点１４２を備え、他端を操作する力点として、力点と支点１４２との間に刃部角度保持部材である第２円筒部材５０との接合部１４３を備える。これにより、第２円筒部材５０を挿入軸ＯＰに沿って直線動作させる。本鉛筆削り器１４０には、第１実施形態の鉛筆削り器１０の回転ダイヤル１２や第１円筒部材４０は具備していない。その他の構成は第１実施形態に係る鉛筆削り器１０と同じであるので、同一の部材には同一の符号を付して省略する。
【００９９】
本実施形態に係る鉛筆削り器１４０によれば、レバー部材１４１により、小さな力で簡単に削り角度を安定して設定できる。
【０１００】
＜第６実施形態＞
図８（ａ）は第６実施形態に係る鉛筆削り器の断面図である。本実施形態に係る鉛筆削り器１５０は、回転刃部２１の刃保持部材２２を取付け側と挿入軸ＯＰを対称軸として転動部材２５と対称の位置に第２の転動部材１５１を配置している。第２の転動部材１５１は、傾動軸Ｏ１を中心に揺動するアーム部材１５２の先端に転動可能に配置され、第２円筒部材５０の移動に伴って角度保持内面部５０Ａに接触して転動する。
【０１０１】
本実施形態に係る鉛筆削り器１５０によれば、転動部材２５と対象位置に第２の転動部材１５１を備えるので、第２円筒部材５０に偏った力が加わることなく、第２円筒部材５０を安定して駆動させることができる。
【０１０２】
＜第７実施形態＞
図８（ｂ）は第７実施形態に係る鉛筆削り器の断面図、（ｃ）はカムの一例を示す正面図である。本実施形態に係る鉛筆削り器１６０において、刃部角度保持部材として板カム１６１を備え、角度決定部材として選択ダイヤル１６３を備える。板カム１６１は、鉛筆の挿入側と反対の側において刃保持部材２２の後端部１６２と接触して回転刃部２１の挿入軸ＯＰとの傾斜角度を変更する。板カム１６１は、図８（ｃ）に示すように、段階的に回転刃部２１の角度を変更する段部を備えた輪郭形状を備えるものとする。
【０１０３】
また、角度決定部材は、鉛筆削り器のハンドル１４の軸部（ハンドル軸部）に配置され板カム１６１を回転駆動させる選択ダイヤル１６３として構成される。
【０１０４】
本実施形態に係る鉛筆削り器１６０によれば、選択ダイヤル１６３の操作により、板カム１６１が回転して刃保持部材２２の後端部１６２との接触位置により刃保持部材２２の挿入軸ＯＰに対する角度が変化する。よって、選択ダイヤル１６３を回動させるという簡単でわかり易い操作で、鉛筆の削り角度を芯の硬度に応じて変更することができる。
【０１０５】
上記実施形態では、板カム１６１の輪郭形状は、段部を備えるもの（段階カム）としたが、図８（ｄ）に示すように段差がなく連続的に刃保持部材２２の角度を変化させる輪郭形状のもの（無段カム）としてもよい。
【０１０６】
＜第８実施形態＞
図９は本発明の第８実施形態に係る鉛筆削り器を示すものであり、（ａ）は鉛筆削り器の断面図、（ｂ）同鉛筆削り器の機構部の斜視図である。本実施形態に係る鉛筆削り器１７０は、ハンドル１４の駆動によって鉛筆を回転させるとともに回転刃部２１を自転させる。また、刃保持部材２２の位置を位置変更機構１７１により変更することで、回転刃部２１の挿入軸ＯＰとの傾斜角を設定する。
【０１０７】
回転機構１８０は、ハンドル１４で回転される第１歯車１８１、第１歯車１８１と同軸に回転する延長シャフト１８３、延長シャフト１８３で回転駆動される第２歯車１８４、この第２歯車１８４とかみ合って送り機構７０を回転させる第３歯車１８５を備える。そして、第１歯車１８１には回転刃部２１を回転させる第４歯車１８２がかみ合うように配置される。この機構により、回転刃部２１をハンドル１４の駆動で自転をさせつつ鉛筆Ｐと回転刃部２１とを相対的に回転させて鉛筆Ｐを削る。
【０１０８】
また、鉛筆削り器１７０において、刃部角度保持部材及び角度決定部材として、刃保持部材２２の上端部と接触して挿入軸ＯＰと垂直な方向（図中上）からの位置を決定する位置変更機構１７１を備える。なお、刃保持部材２２は、弾性部材２４で挿入軸ＯＰとの角度が開く方向に押されている。
【０１０９】
また、位置変更機構１７１は、この位置変更機構１７１に上方から接触して、刃保持部材２２の位置を決定する。位置変更機構１７１は、回転ハンドル１７２と、送りねじ機構１７３とで構成される。
【０１１０】
本実施形態に係る鉛筆削り器１７０によれば、回転刃部２１は公転しないため、公転する回転刃部２１の角度を全周で保持して決定する必要がなくなり、刃部角度保持部材と角度決定部材を位置変更機構１７１として簡単なものにできる。
【産業上の利用可能性】
【０１１１】
本発明に係る鉛筆削り器は、削り部の削り角度を鉛筆の種類や用途によって自由かつ確実に指定して削ることができ、産業上利用可能性がある。
【符号の説明】
【０１１２】
１０：鉛筆削り器
１１：本体
１１Ａ：前部材
１１Ｂ：後部材
１２：回転ダイヤル（角度決定部材）
１３：挿入孔
１４：ハンドル
１５：削りかすケース
１６：表示窓
１７：表示窓
１８：方向表示部
１９：ガイドレール
２０：削り機構
２１：回転刃部
２２：刃保持部材
２２Ａ：転動軸保持部
２３：保持部
２４：弾性部材
２５：転動部材
２６：軸
３０：ダイヤル基板
３１：連結部材
４０：第１円筒部材（角度決定部材）
４１：底部
４２：側壁部
４３：カム溝
５０：第２円筒部材（刃部角度保持部材）
５０Ａ：角度保持内面部        
５１：短円筒内面部
５２：短円筒内面部
５３：短円筒内面部
５４：円錐状内面部
５５：円錐状内面部
５６：案内突起 
５８：突起部
６０：ハンドルギア
７０：送り機構
１１０：鉛筆削り器
１１１：つまみ部材（角度決定部材）
１２０：鉛筆削り器
１２１：円錐状内面部
１３０：鉛筆削り器
１３１：スライド部材（角度決定部材）
１３２：連結部材
１４０：鉛筆削り器
１４１：レバー部材（角度決定部材）
１４２：支点
１４３：接合部
１５０：鉛筆削り器
１５１：第２の転動部材
１５２：アーム部材
１６０：鉛筆削り器
１６１：板カム（刃部角度保持部材）
１６２：後端部
１６３：選択ダイヤル（角度決定部材）
１７０：鉛筆削り器
１７１：位置変更機構（刃部角度保持部材、角度決定部材）
１７２：回転ハンドル
１７３：送りねじ機構
１８０：回転機構
１８１：第１歯車
１８２：第４歯車
１８３：延長シャフト
１８４：第２歯車
１８５：第３歯車
Ｏ：傾動軸
Ｏ１：傾動軸
ＯＰ：挿入軸
Ｐ：鉛筆
【図１】
2020183042.tif 000003
【図２】
2020183042.tif 000004
【図３】
2020183042.tif 000005
【図４】
2020183042.tif 000006
【図５】
2020183042.tif 000007
【図６】
2020183042.tif 000008
【図７】
2020183042.tif 000009
【図８】
2020183042.tif 000010
【図９】
2020183042.tif 000011
【図１０】
2020183042.tif 000012